(57)【要約】【課題】長さの調節を円滑に行うことができると共に、使用状態において、支持された各種機器の重量による固定ステーと可動ステーのズレを防止することができ、他部材の支持を安定して行うことができる長さ調節可能なスライドステーを提供する。【解決手段】固定ステー４１を構成する筒状部４１ａに対し、可動ステー４２を構成するチャンネル状の側壁板４２ａ，４２ｂ及び前壁板４２ｃをスライド可能に嵌合する。前壁板４２ｃの裏面に前記固定ステー４１の前壁板４１ｇの外表面にスライド接触される左右一対のスライド用レール４２ｄ，４２ｅを一体に形成する。前記可動ステー４２に形成されたスリット４２ｆから締付ボルト４３を固定ステー４１に形成された挿通孔４１ｎに貫通してナット４４に螺合し、固定ステー４１と可動ステー４２を締め付け固定する。【選択図】      図１
2006125584.tif 000002
【特許請求の範囲】
【請求項１】
左右一対の側壁板と該両側壁板の側端縁を連結する前壁板を備えた固定ステーと、該固定ステーの前記前壁板表面及び左右両側壁板表面に沿って長さ調節可能にスライド案内される左右一対の側壁板及び前壁板を備えた可動ステーと、前記固定ステーの前壁板の裏面の所定位置に保持されるナットと、前記可動ステーの前壁板に長手方向に形成したスリットから前記固定ステーの前壁板に形成された挿通孔に貫通した締付ボルトを前記ナットに螺合することにより固定ステーと可動ステーを所定長さに締め付け固定するようにしたスライド式ステーにおいて、
前記可動ステーの前壁板の裏面に対し、前記固定ステーの前壁板の表面にスライド接触される左右一対のスライド用レールを設け、前記固定ステーの前壁板の裏面に前記ナットを回動不能に保持するための左右一対のレール状のリブを設けたことを特徴とする長さ調節可能なスライドステー。  
【請求項２】
請求項１において、前記締付ボルトの頭部と前記可動ステーの前壁板の表面との間には、スペーサが介在されていることを特徴とする長さ調節可能なスライドステー。
【請求項３】
請求項１又は２において、前記左右一対のレール状のリブには、前記ナットの外側端面を係止する係止リブが一体に形成されていることを特徴とする長さ調節可能なスライドステー。
【請求項４】
請求項１〜３のいずれか一項において、前記固定ステーの左右一対の側壁板の前記前壁板と反対側の側端部は、後壁板によって一体に連結され、該後壁板の背面には他部材を連結するための左右一対の連結板が互いに平行に一体に形成されていることを特徴とする長さ調節可能なスライドステー。
【請求項５】
請求項１〜４のいずれか一項において、前記固定ステーに形成された左右一対の前記レール状のリブと、可動ステーに形成された左右一対の前記スライド用レールは、ステーの軸方向から見て、少なくとも一部がオーバーラップするようにほぼ同じ間隔に形成されていることを特徴とする長さ調節可能なスライドステー。
【請求項６】
請求項１〜５のいずれか一項に記載された長さ調節可能なスライドステーを備えたエアコン室外機の屋根置台。
【発明の詳細な説明】
【技術分野】
【０００１】
本発明は、長さ調節可能なスライドステー及びスライドステーを備えたエアコン室外機の屋根置台に関する。
【背景技術】
【０００２】
一般に、エアコン室外機の屋根置台は、所定の傾斜角を有する屋根に装着されるようになっている。この屋根置台は室外機を載置する左右一対の水平のベース部材と、この両ベース部材の一端部にそれぞれ下向きに連結された第１及び第２の短寸ステーと、前記両ベース部材の他端部にそれぞれ下向きに連結された第１及び第２の長寸ステーと、前記両短寸ステーの下端部間に連結された第１接地部材と、前記両長寸ステーの下端部間に連結された第２接地部材とにより構成されている。前記両ベース部材は屋根の傾斜角の変化に応じて、水平に保持されるように、前記長寸ステーは長さ調節可能に構成されている。この長寸ステーは前記ベース部材の他端部に一体に折曲げ形成されたチャンネル状をなす固定ステーに対して、同じくチャンネル状をなす可動ステーを上下方向のスライド可能に嵌合し、ボルト及びナットにより固定ステーと可動ステーを締め付け固定するようになっている。特許文献１の図１には固定ステー３ａに対して、可動ステー４を上下方向のスライド位置調節可能に、ボルト５及びナットによって締め付けるようにした構成が示されている。
【特許文献１】特開平９−２３６２８７号公報
【発明の開示】
【発明が解決しようとする課題】
【０００３】
ところが、上記従来のエアコン室外機の屋根置台は、チャンネル状の固定ステーと可動ステーを単に組み合わせているだけであるため、両ステーの接触面積が多くなり、ボルトを緩めて、可動ステーをスライドさせる際に大きな外力が必要となり、円滑に長さ調節を行うことができないという問題があった。又、両ステーをボルトとナットにより締め付けた状態において、固定ステーと可動ステーの接触面が広い面積となっているので滑り易く、室内機の重量によって、固定ステーが可動ステーに沿って下方にズレる恐れがあった。
【０００４】
本発明の目的は、上記従来の技術に存する問題点を解消して、長さの調節を円滑に行うことができると共に、使用状態において、支持された各種機器の重量による固定ステーと可動ステーのズレを防止することができ、他部材の支持を安定して行うことができる長さ調節可能なスライドステーを提供することにある。
【０００５】
本発明の別の目的は、上記の長さ調節可能なスライドステーを備えたエアコン室外機の屋根置台を提供することにある。
【課題を解決するための手段】
【０００６】
上記問題点を解決するために、請求項１に記載の発明は、左右一対の側壁板と該両側壁板の側端縁を連結する前壁板を備えた固定ステーと、該固定ステーの前記前壁板表面及び左右両側壁板表面に沿って長さ調節可能にスライド案内される左右一対の側壁板及び前壁板を備えた可動ステーと、前記固定ステーの前壁板の裏面の所定位置に保持されるナットと、前記可動ステーの前壁板に長手方向に形成したスリットから前記固定ステーの前壁板に形成された挿通孔に貫通した締付ボルトを前記ナットに螺合することにより固定ステーと可動ステーを所定長さに締め付け固定するようにしたスライド式ステーにおいて、前記可動ステーの前壁板の裏面に対し、前記固定ステーの前壁板の表面にスライド接触される左右一対のスライド用レールを設け、前記固定ステーの前壁板の裏面に前記ナットを回動不能に保持するための左右一対のレール状のリブを設けたことを要旨とする。
【０００７】
請求項２に記載の発明は、請求項１において、前記締付ボルトの頭部と前記可動ステーの前壁板の表面との間には、スペーサが介在されていることを要旨とする。
請求項３に記載の発明は、請求項１又は２において、前記左右一対のレール状のリブには、前記ナットの外側端面を係止する係止リブが一体に形成されていることを要旨とする。
【０００８】
請求項４に記載の発明は、請求項１〜３のいずれか一項において、前記固定ステーの左右一対の側壁板の前記前壁板と反対側の側端部は、後壁板によって一体に連結され、該後壁板の背面には他部材を連結するための左右一対の連結板が互いに平行に一体に形成されていることを要旨とする。
【０００９】
請求項５に記載の発明は、請求項１〜４のいずれか一項において、前記固定ステーに形成された左右一対の前記レール状のリブと、可動ステーに形成された左右一対の前記スライド用レールは、ステーの軸方向から見て、少なくとも一部がオーバーラップするようにほぼ同じ間隔に形成されていることを要旨とする。
【００１０】
請求項６に記載の発明は、請求項１〜５のいずれか一項に記載された長さ調節可能なスライドステーを備えたエアコン室外機の屋根置台を要旨とする。
【発明の効果】
【００１１】
本発明によれば、前記可動ステーの前壁板の裏面に対し、前記固定ステーの前壁板の表面にスライド接触される左右一対のスライド用レールを設けたので、固定ステーの前壁板の表面に対する可動ステーの前壁板の裏面の接触面積が大幅に低減される。このため、前記ナットに螺合された締付ボルトを緩めた状態で、固定ステーに対し可動ステーを円滑にスライドさせることができ、長さの調節作業を容易に行うことができる。
【００１２】
又、本発明によれば、スライド用レールを設けたので、前記締付ボルトとナットによる固定ステーと可動ステーの締め付け状態において、前記スライド用レールの先端面が固定ステーの前壁板の表面に局所的に押圧されるので、使用状態において、固定ステーと可動ステーのズレを防止し、他部材を安定して支持することができる。
【００１３】
さらに、本発明によれば、前記固定ステーの前壁板の裏面に前記ナットを回動不能に保持するための左右一対のレール状のリブを設けたので、ナットを回動不能に保持することができる。
【発明を実施するための最良の形態】
【００１４】
以下、本発明の長さ調節可能なスライドステーをエアコン室外機の屋根置台に
具体化した一実施形態を図面にしたがって説明する。
この実施形態の屋根置台は、概略的に見て、図４に示すように、エアコンの室外機を載置する左右一対の第１，第２ベース部材１１，１２と、第１及び第２ベース部材１１，１２の一（左）端部に下向きに連結された第１，第２短寸ステー１３，１４と、第１及び第２短寸ステー１３，１４の下端部間に水平に連結され、かつ、屋根の上面に支持される第１接地部材１５とを備えている。又、屋根置台は、前記第１及び第２ベース部材１１，１２の他（右）端部に下向きに連結された長さ調節可能な第１，第２長寸ステー１６，１７と、この第１及び第２長寸ステー１６，１７の下端部間に水平に連結され、かつ屋根の上面に支持される第２接地部材１８とを備えている。
【００１５】
次に、前述した各部材について順次説明する。この実施形態では、左右一対の第１及び第２ベース部材１１，１２、第１及び第２短寸ステー１３，１４及び第１及び第２長寸ステー１６，１７は、それぞれ同様に構成されているので、左側の各部材について説明し、右側の各部材については同一符号を付して説明を簡略する。
【００１６】
前記第１ベース部材１１を構成するベース部材本体２１は例えばアルミニウム材料により横長四角筒状に押し出し成型され、ベース部材本体２１の上面には、スリット２１ａが長手方向に全域にわたって形成され、このスリット２１ａを用いて、図５，６に示すようにゴム製のクッション２２、ボルト２３及びナット２４が２箇所に取り付けられている。前記クッション２２、ボルト２３及びナット２４によって図示しないエアコン用の室外機の脚部の下端部が取り付けられるようになっている。なお、前記スリット２１ａの中央部には、前記ナット２４をベース部材本体２１内に入れるための孔２１ｂが形成されている。
【００１７】
図６に示すように前記第１ベース部材１１の一端部に連結された第１短寸ステー１３は、図７に示すように例えばアルミニウム材料により押し出し成型可能に形成されている。この第１短寸ステー１３は、ほぼ四角筒状に形成された筒状部１３ａと、この筒状部１３ａの左右両側部に一体に側方に、かつ互いに平行に張り出し形成された連結板１３ｂ，１３ｃとにより構成され、連結板１３ｂ，１３ｃには貫通孔１３ｄが形成され、図６に示すように、前記ベース部材本体２１の左端部に前記連結板１３ｂ，１３ｃを嵌入した状態で、リベット３１をベース部材本体２１に形成した貫通孔（図示せず）と前記貫通孔１３ｄに貫通してかしめ付けることによりベース部材本体２１に第１短寸ステー１３を連結している。
【００１８】
図７に示すように、前記第１短寸ステー１３の筒状部１３ａは、左右両側壁板１３ｅ，１３ｆと、緩やかな円弧状をなす前壁板１３ｇと後壁板１３ｈとによってほぼ四角筒状に形成され、前記側壁板１３ｅ，１３ｆの下部には、前記第１接地部材１５を取り付けるための凹部１３ｉが切り欠き形成されている。前記前壁板１３ｇの内面には左右一対のレール状をなすリブ１３ｊが上下方向に互いに平行に一体に形成され、両リブ１３ｊの先端部には係止リブ１３ｋが互いに接近するように一体に形成され、リブ１３ｊ及び係止リブ１３ｋによってナット３３を回動不能に収容する収容溝１３ｌが形成されている。前記前壁板１３ｇの下部には、図６に示すようにビス３２を貫通する貫通孔１３ｍが形成され、中央部には、後述する締付ボルト４３を挿通するボルト挿通孔１３ｎが形成されている。
【００１９】
図６に示すように前記係止リブ１３ｋには、切り込み１３ｏがそれぞれ二箇所に形成され、前記ナット３３を前記挿通孔１３ｎと対応する位置に保持した状態で、各切り込み１３ｏの外側のリブ１３ｋの一部を収容溝１３ｌ側へ塑性変形して進入させることによりナット３３を所定位置に保持するようになっている。又、第１短寸ステー１３の上端部には開口を閉塞するためのキャップ３４が取り付けられている。
【００２０】
図６に示す前記第１接地部材１５は例えばアルミニウム材料により押し出し成型され、その本体１５ａの上面には、前記第１短寸ステー１３に形成した凹部１３ｉに嵌合される突条部１５ｂが一体に形成され、突条部１５ｂの左側壁面には、前記ビス３２を螺合するための溝１５ｃが一体に、かつ突条部１５ｂの長手方向全域に亘って形成されている。前記第１短寸ステー１３の凹部１３ｉは前記第１接地部材１５の突条部１５ｂの任意の部位に対して上方から嵌合されるようになっている。そして、前記第１短寸ステー１３の貫通孔１３ｍにビス３２を貫通して、前記第１接地部材１５の溝１５ｃにビス３２を螺合することによって、第１短寸ステー１３と第１接地部材１５が連結されている。
【００２１】
次に、前記第１長寸ステー１６について説明する。
この第１長寸ステー１６は、図４に示すように前記ベース部材本体２１の他端部に下向きに連結された固定ステー４１と、この固定ステー４１の下端部に長さ調節可能に連結された可動ステー４２とによって構成されている。図２及び図３に示す前記固定ステー４１は、例えばアルミニウム材料により押し出し成型可能に形成されている。この固定ステー４１は、ほぼ四角筒状に形成された筒状部４１ａと、この筒状部４１ａの左右両側部に一体に側方に、かつ互いに平行に張り出し形成された一対の連結板４１ｂ，４１ｃとにより構成されている。両連結板４１ｂ，４１ｃには貫通孔４１ｄが形成され、図２に示すように、前記ベース部材本体２１の右端部に前記連結板４１ｂ，４１ｃを嵌入した状態で、リベット３１をベース部材本体２１の側面に形成した貫通孔（図示せず）と前記貫通孔４１ｄに貫通してかしめ付けることによりベース部材本体２１に固定ステー４１を連結している。
【００２２】
前記固定ステー４１の筒状部４１ａは、図３に示すように左右両側壁板４１ｅ，４１ｆと、緩やかな円弧状をなす前壁板４１ｇと後壁板４１ｈとによって形成され、前記側壁板４１ｅ，４１ｆの下部には、前記第２接地部材１８を取り付けるための凹部４１ｉが切り欠き形成されている。前記前壁板４１ｇの裏面には左右一対のレール状をなすリブ４１ｊが上下方向に互いに平行に一体に形成され、両リブ４１ｊの先端部には係止リブ４１ｋが互いに接近するように一体に形成され、リブ４１ｊ及び係止リブ４１ｋによってナット４４を回動不能に収容する収容溝４１ｌが形成されている。前記前壁板４１ｇの下部には、前記ナット４４に螺合される締付ボルト４３を貫通する挿通孔４１ｎが形成されている。図２に示すように前記係止リブ４１ｋには、切り込み４１ｍがそれぞれ二箇所に形成され、前記ナット４４を前記挿通孔４１ｎと対応する位置に保持した状態で、各切り込み４１ｍの外側のリブ４１ｋの一部を収容溝４１ｌ側へ塑性変形して進入させることによりナット４４を所定位置に保持するようになっている。
【００２３】
図３に示す前記可動ステー４２は、例えばアルミニウム材料により押し出し成型されている。この可動ステー４２は縦長のチャンネル状に形成され、前記固定ステー４１の側壁板４１ｅ，４１ｆの外表面に接触される側壁板４２ａ，４２ｂと、両側壁板４２ａ，４２ｂの側端縁を一体に連結する前壁板４２ｃとによって構成されている。前記前壁板４２ｃの裏面には左右一対のスライド用レール４２ｄ，４２ｅが可動ステー４２の長手方向全長にわたって一体に形成され、スライド用レール４２ｄ，４２ｅの先端縁は、図１に示すように、前記固定ステー４１の前壁板４１ｇの外表面にスライド接触されるようになっている。前記可動ステー４２の前壁板４２ｃの中央部には図３に示すように長手方向にスリット４２ｆが形成され、このスリット４２ｆに貫通した締付ボルト４３を前記固定ステー４１の挿通孔４１ｎに貫通して、前記収容溝４１ｌ内に保持されたナット４４に螺合することにより、固定ステー４１と可動ステー４２を所定長さ寸法の状態で連結するようにしている。
【００２４】
図３に示す固定ステー４１と、図７に示す第１短寸ステー１３は、取付位置の交換可能に構成されている。図６に示す第１短寸ステー１３のナット３３は、図５において、第１短寸ステー１３と第１長寸ステー１６の固定ステー４１との取付位置を入れ換えて、第１短寸ステー１３に可動ステー４２を装着して締付ボルト４３をナット３３に螺合し、屋根Ｙの傾斜角に応じて第１長寸ステー１６の長さを調節する場合に用いられる。
【００２５】
図２に示すように前記締付ボルト４３の頭部と可動ステー４２の前壁板４２ｃの表面との間には、アルミニウム製のスペーサ４５が介在されている。前記可動ステー４２の前壁板４２ｃの上端部には前記固定ステー４１の前壁板４１ｇの外表面と、前壁板４２ｃの内表面との隙間を塞ぐためのキャップ４６が取り付けられている。又、前記筒状部４１ａの上端部には、開口を閉塞するためのキャップ４７が取り付けられている。
【００２６】
図８に示す前記第２接地部材１８は例えばアルミニウム材料により押し出し成型され、その本体１８ａの上面には、前記可動ステー４２に形成した凹部４２ｇに嵌合される突条部１８ｂが一体に形成され、突条部１８ｂの右側壁面には、ビス４８を螺合するための溝１８ｃが突条部１８ｂの長手方向全長に亘って、一体に形成されている。前記可動ステー４２の凹部４２ｇは前記第２接地部材１８の突条部１８ｂの任意の部位に対して上方から嵌合されるようになっている。そして、前記可動ステー４２の挿通孔４２ｉにビス４８を貫通して、前記第２接地部材１８の溝１８ｃにビス４８を螺合することによって、可動ステー４２と第２接地部材１８が連結されている。
【００２７】
図４に示すように、前記第１接地部材１５及び第２接地部材１８には、複数箇所にゴム製の滑り止め３５が取り外し可能に装着されている。
次に、前記のように構成されたエアコン室外機の屋根置台の動作について説明する。
【００２８】
図５は、屋根置台が所定傾斜角の屋根Ｙの上面の所定位置に図示しない取り付け用のワイヤーとボルト等によって装着された状態を示す。この状態において、屋根Ｙの傾斜角が緩やかな場合には、前記ナット４４に螺合された締付ボルト４３を緩めて（又は、第１及び第２ベース部材１１，１２を反転の上）、第１及び第２長寸ステー１６，１７の固定ステー４１（又は第１短寸ステー１３及び第２短寸ステー１４）に対して可動ステー４２を上方向にスライドさせ、第１及び第２ベース部材１１，１２が水平状態となるように長さ（高さ）調節した状態で、前記締付ボルト４３を螺入方向に回動して固定ステー４１（又は第１短寸ステー１３及び第２短寸ステー１４）と可動ステー４２を締め付け固定する。
【００２９】
上記実施形態の長さ調節可能な長寸ステー１６，１７を備えたエアコン室外機の屋根置台によれば、以下のような効果を得ることができる。
（１）上記実施形態では、前記固定ステー４１の筒状部４１ａにスライド可能に嵌合固定される可動ステー４２の前壁板４２ｃの裏面に対し、前壁板４１ｇの外表面にスライド接触されるスライド用レール４２ｄ，４２ｅを一体に形成した。このため、前記固定ステー４１の前壁板４１ｇに対して、ナット４４に螺合された締付ボルト４３を緩めて、可動ステー４２をスライドさせる際に、前壁板４１ｇと前壁板４２ｃの接触面積を低減して、スライド動作を円滑に行い長さ調節作業を容易に行うことができる。又、前記固定ステー４１の前壁板４１ｇの外表面にスライド動作によって形成されるスライド跡を低減して、外観を向上することができる。
【００３０】
（２）上記実施形態では、前記前壁板４２ｃにスライド用レール４２ｄ，４２ｅを形成したので、締付ボルト４３による固定ステー４１と可動ステー４２の締め付け固定状態において、スライド用レール４２ｄ，４２ｅの先端面が凹部４２ｇの表面に局部的に強固に押圧されるので、締付状態を確実に保持し、他部材としてのエアコン室外機を安定して支持することができる。
【００３１】
（３）上記実施形態では、固定ステー４１の前壁板４１ｇの裏面にナット４４を回動不能に保持するリブ４１ｊを形成したので、ナット４４の保持を確実に行うことができる。又、リブ４１ｊに係止リブ４１ｋを形成したので、両係止リブ４１ｋにそれぞれ二箇所に例えば切り込み４１ｍを入れて、係止リブ４１ｋの一部を収容溝４１ｌの内側に塑性変形させることにより、ナット４４を挿通孔４１ｎと対応する所定位置に確実に保持することができる。
【００３２】
（４）上記実施形態では、図１に示すように前記固定ステー４１に形成された左右一対の前記レール状のリブ４１ｊと、可動ステー４２に形成された左右一対の前記スライド用レール４２ｄ，４２ｅを、ステー４１，４２の軸方向から見て、少なくとも一部がオーバーラップするようにほぼ同じ間隔に形成した。このため、締付ボルト４３とナット４４付近の固定ステー４１及び可動ステー４２の剛性を向上し、両ステーの連結状態を安定化することができる。
【００３３】
（５）上記実施形態では、前記締付ボルト４３の頭部と前記可動ステー４２の前壁板４２ｃの表面との間に、アルミニウム製のスペーサ４５を介在したので、固定ステー４１と可動ステー４２の締付ボルト４３による締め付け状態を安定化することができる。
【００３４】
なお、上記実施形態は以下のように変更してもよい。
○図示しないが前記可動ステー４２の側壁板４２ａ，４２ｂに対し、前記スライド用レール４２ｄ，４２ｅと同様のスライド用レールを一箇所又は複数箇所に一体に形成してもよい。この別例では、固定ステー４１と可動ステー４２のスライド動作の際の接触抵抗を低減することができ、長さの調節をさらに容易に行うことができる。
【００３５】
○  図１において、前記可動ステー４２に設けたスライド用レール４２ｄ，４２ｅの間隔を、同じにしたり、固定ステー４１に設けたリブ４１ｊの間隔よりも大きくしたりしてもよい。
【００３６】
○  長さ調節可能なスライドステーをエアコン室外機の屋根置台のステー以外に、各種の機器を支持するスライドステーとして用いてもよい。
（技術的思想）
前述した各実施形態から把握される請求項以外の技術的思想について説明する。
【００３７】
（１）請求項６において、室外機を載置する左右一対の水平のベース部材と、この両ベース部材の一端部にそれぞれ下向きに連結された第１及び第２の短寸ステーと、前記両ベース部材の他端部にそれぞれ下向きに連結され、かつ長さ調節可能な第１及び第２の長寸ステーと、前記両短寸ステーの下端部間に連結された第１接地部材と、前記両長寸ステーの下端部間に連結された第２接地部材とにより構成されているエアコン室外機の屋根置台。
【図面の簡単な説明】
【００３８】
【図１】この発明のエアコン室外機の屋根置台の長寸ステーに具体化した一実施形態を示す固定ステーと可動ステーの組み付け状態の拡大平面図。
【図２】長寸ステーの取付状態を示す拡大断面図。
【図３】固定ステーと可動ステーを分離して示す拡大斜視図。
【図４】エアコン室外機の屋根置台の一実施形態を示す斜視図。
【図５】屋根置台の左側面図。
【図６】短寸ステーの取付状態を示す拡大断面図。
【図７】短寸ステーを示す斜視図。
【図８】可動ステーと第２接地部材の組み付け状態を示す拡大断面図。
【符号の説明】
【００３９】
Ｙ…屋根、１３ｂ，１３ｃ，４１ｂ，４１ｃ…連結板、１３ｅ，１３ｆ，４１ｅ，４１ｆ，４２ａ，４２ｂ…側壁板、１３ｇ，４１ｇ，４２ｃ…前壁板、１３ｈ，４１ｈ…後壁板、１３ｊ，４１ｊ…リブ、１３ｋ，４１ｋ…係止リブ、４２ｆ…スリット、３３，４４…ナット、４１…固定ステー、４２…可動ステー、４２ｄ，４２ｅ…スライド用レール、４３…締付ボルト、４５…スペーサ。
【図１】
2006125584.tif 000003
【図２】
2006125584.tif 000004
【図３】
2006125584.tif 000005
【図４】
2006125584.tif 000006
【図５】
2006125584.tif 000007
【図６】
2006125584.tif 000008
【図７】
2006125584.tif 000009
【図８】
2006125584.tif 000010